(57)【要約】【課題】打球面の中央位置付近において効率良く反発性を規制しつつ、フェース部のトウ・ヒール方向の広い範囲、及びクラウン・ソール方向においても反発性を高めるゴルフクラブを提供する。【解決手段】中空構造の金属製のクラブヘッドのフェース部７ａは、フェース部の中央位置Ｃを含む中央領域にトウ・ヒール方向に延びる厚肉部２０を有し、厚肉部の両側のそれぞれに、クラウン側とソール側に向かって延設される延長部２１，２２を有する。フェース部の中央位置Ｃを通る水平線を基準としてトウ・ヒール方向におけるフェース部７ａの幅をＷ、及びトウ・ヒール方向における厚肉部２０の幅をｗとし、厚肉部２０の中央位置を通るクラウン・ソール方向における高さをｈとした場合、厚肉部２０は、前記幅ｗの中間点からトウ側及びヒール側に、１０ｍｍ〜２５ｍｍの範囲で延長され、ｗ／Ｗを０．２〜０．５０の範囲で、ｈ＜ｗに設定した。【選択図】図５
2011152275.tif 000002
【特許請求の範囲】
【請求項１】
フェース部と、クラウン部と、ソール部と、トウ側及びヒール側で構成されるサイド部と、バック部とで外殻体を形成した中空構造の金属製のクラブヘッドを有するゴルフクラブであって、
前記フェース部は、フェース部の中央位置を含む中央領域にトウ・ヒール方向に延びる厚肉部を有すると共に、前記厚肉部の両側のそれぞれに、前記クラウン側とソール側に向かって延設される延長部を有しており、
前記フェース部の中央位置を通る水平線を基準としてトウ・ヒール方向における前記フェース部の幅をＷ、及びトウ・ヒール方向における前記厚肉部の幅をｗとし、前記厚肉部の中央位置を通るクラウン・ソール方向における高さをｈとした場合、
前記厚肉部は、前記幅ｗの中間点からトウ側及びヒール側に、１０ｍｍ〜２５ｍｍの範囲で延長され、ｗ／Ｗを０．２〜０．５０の範囲で、ｈ＜ｗに設定したことを特徴とするゴルフクラブ。
【請求項２】
前記フェース部は、前記厚肉部及び延長部によって、トウ側、ヒール側、クラウン側及びソール側に４つの薄肉厚部を備えており、
前記厚肉部及び延長部と、前記薄肉厚部との間に、傾斜状部を形成したことを特徴とする請求項１に記載のゴルフクラブ。
【請求項３】
前記延長部は、前記クラウン部及びソール部の手前で終端しており、各端面は、前記薄肉厚部と略同一肉厚となるようにテーパ状又は段階的に肉厚を薄く形成されていることを特徴とする請求項２に記載のゴルフクラブ。
【請求項４】
前記厚肉部の両側に延設されたクラウン側の延長部、及びソール側の延長部の少なくとも一方は、フェースの周縁に移行するに連れてトウ・ヒール方向の距離が広がるように形成されていることを特徴とする請求項１から３のいずれか１項に記載のゴルフクラブ。
【請求項５】
前記延長部の幅は、前記厚肉部の前記高さｈよりも小さく形成されていることを特徴とする請求項１から４のいずれか１項に記載のゴルフクラブ。
【請求項６】
前記厚肉部のクラウン側及びソール側のエッジ形状は、フェース部前面に形成したスコアラインを横切る凹凸状に形成されていることを特徴とする請求項１から５のいずれか１項に記載のゴルフクラブ。
【発明の詳細な説明】
【技術分野】
【０００１】
本発明は、ゴルフクラブに関し、詳細には、中空構造のヘッドを有するゴルフクラブに関する。
【背景技術】
【０００２】
従来、中空構造の金属製ヘッドにおけるフェース部は、撓み易くすることで、打球時にボールの潰れが抑制され、これにより、ボール変形によるエネルギーロスを少なくして、飛距離の向上が図れることが知られている。したがって、飛距離の向上を図るためには、フェース部の中央領域を撓み易く構成すれば良いが、フェース部の撓みに関しては、ルールによって規制されている。
【０００３】
すなわち、フェース部の撓みに関しては、その指標として、ＵＳＧＡ（米国ゴルフ協会）のペンデュラムテストに準拠して測定する手法が存在しており、キャラクタリスティックタイムという数値（以下、ＣＴ値）により、フェース部の撓みを評価することが一般化されている。具体的に、ＣＴ値は、上記したペンデュラムテストの手順に従ってフェース部の中心（以下、フェース部の中央位置とも称する）を特定し、この中央位置に所定の試験子を衝突させたときの接触時間を計測することで、フェース部の弾性を評価するものであり、ＣＴ値が高くなる（接触時間が長くなる）と、フェース部が撓み易くなってボールの飛距離の向上が図れるようになるものの、フェース部の中央位置におけるＣＴ値が所定値を超えると、それはルールに適合しないものと判別される。
【０００４】
このため、フェース部の剛性や反発性を調整するために、例えば、特許文献１に開示されているように、フェース部の中央部分の肉厚を厚く形成（フェース部の裏面にＩ字状のリブを形成）することが知られている。また、特許文献２には、フェース部の裏面にＸ字状のリブを形成することで、中央部分の剛性や反発性を規制しつつ、その周囲の反発性を低下させないことが行われている。すなわち、フェース部の中央は、構造的には最も撓み易い領域であることから、上記したようなリブを形成することにより、中央部分の剛性や反発性を規制しつつ、その周囲の反発性を低下させないような調整が行われている。
【先行技術文献】
【特許文献】
【０００５】
【特許文献１】特開２００６−１７５１３５号
【特許文献２】特許第３３１５６１８号
【発明の概要】
【発明が解決しようとする課題】
【０００６】
上記した特許文献１及び２に記載されているように、フェース部の裏面に、適宜肉厚を厚くしたリブを形成することで、フェース部の剛性や反発性を調整することが知られているが、単にリブを形成しただけでは、フェース部の中央領域の反発性を効率的に規制して、広い範囲に亘ってフェース部の中央領域と近似したＣＴ値に設定すること（効率的にＣＴ値を調整し、中央位置で打球した場合と同様な飛距離が得られるヘッド構造にすること）は困難である。
【０００７】
すなわち、特許文献１に開示されているようなＩ字状のリブをクラウン部からソール部にかけて形成した場合、中央部分における反発性を規制しやすくなるが、リブ部分の反発性が低くなりすぎたり、リブの部分とリブ以外の部分であるトウ側やヒール側の反発性との差が大きすぎる等の問題がある。
【０００８】
また、特許文献２に開示されているＸ字状のリブでは、フェース部のトウ・ヒール方向に広い範囲に亘ってフェース部の中央と近似したＣＴ値に設定することが難しい。特に、トウ・ヒール方向の広い範囲に亘って反発性を向上することが困難であり、また、クラウン・ソール方向においても反発性の調整が困難である。
【０００９】
本発明は、上記した問題に着目してなされたものであり、打球面の中央位置付近において効率良く反発性（ＣＴ値）を規制しつつ、フェース部のトウ・ヒール方向の広い範囲、及びクラウン・ソール方向においても反発性を高め、打球時の打点がばらついても、飛距離の向上及び安定化が図れるゴルフクラブを提供することを目的とする。
【課題を解決するための手段】
【００１０】
上記した目的を達成するために、本発明は、フェース部と、クラウン部と、ソール部と、トウ側及びヒール側で構成されるサイド部と、バック部とで外殻体を形成した中空構造の金属製のクラブヘッドを有するゴルフクラブであって、前記フェース部は、フェース部の中央位置を含む中央領域にトウ・ヒール方向に延びる厚肉部を有すると共に、前記厚肉部の両側のそれぞれに、前記クラウン側とソール側に向かって延設される延長部を有しており、前記フェース部の中央位置を通る水平線を基準としてトウ・ヒール方向における前記フェース部の幅をＷ、及びトウ・ヒール方向における前記厚肉部の幅をｗとし、前記厚肉部の中央位置を通るクラウン・ソール方向における高さをｈとした場合、前記厚肉部は、前記幅ｗの中間点からトウ側及びヒール側に、１０ｍｍ〜２５ｍｍの範囲で延長され、ｗ／Ｗを０．２〜０．５０の範囲で、ｈ＜ｗに設定したことを特徴とする。
【００１１】
上述した構成において、前記フェース部におけるＣＴ値は、周囲がクラウン部、サイド部、ソール部に接続された状態であることから、通常は、中央位置、乃至はその付近（中央領域とも称する）が最も撓み易くなって高い数値（ルール上、上限値が規制される）となるものの、フェース部の中央領域に厚肉部を形成すると共に、厚肉部の両側において、クラウン側とソール側に向かって延長部を形成することで、中央位置のＣＴ値を効率的に抑制しつつ、その抑制されたＣＴ値を中央位置の周囲に拡大することが可能となる。
【００１２】
この場合、前記厚肉部は、上記したように定義される幅ｗの中間点からトウ側及びヒール側に１０ｍｍ〜２５ｍｍの範囲で延長されており、かつ、ｗ／Ｗを０．２〜０．５０、の範囲で、ｈ＜ｗに設定したことで、厚肉部は、クラウン・ソール方向よりもトウ・ヒール方向に広がる形状となり、これにより、中央位置でのＣＴ値を効果的に抑制しつつ、トウ・ヒール方向のＣＴ値を大きく低下させることなく中央位置に近似した値に設定することが可能となる。また、トウ・ヒール方向に広がった形状の厚肉部の両側には、クラウン側とソール側に向かって延設される延長部が形成されているため、中央領域のクラウン側とソール側のＣＴ値についても大きく低下させることなく、高反発性を維持することが可能となる。
【発明の効果】
【００１３】
本発明によれば、打球面の中央位置付近において効率良く反発性（ＣＴ値）を規制しつつ、フェース部のトウ・ヒール方向の広い範囲、及びクラウン・ソール方向においても反発性が高く、打球時の打点がばらついても、飛距離の向上及び安定化が図れるゴルフクラブが得られるようになる。
【図面の簡単な説明】
【００１４】
【図１】本発明に係るゴルフクラブの第１の実施形態を示した正面図。
【図２】ヘッド部分の上面図。
【図３】ヘッド部分の正面図。
【図４】図２のＡ−Ａ線に沿った断面図（縦断面図）。
【図５】フェース部分の裏面図（ヘッド内部からフェース部を見た図）。
【図６】本発明の第２の実施形態を示す図であり、フェース部分の裏面図。
【図７】本発明の第３の実施形態を示す図であり、フェース部分の裏面図。
【図８】本発明の第４の実施形態を示す図であり、フェース部分の裏面図。
【図９】（ａ）は、図５のＢ−Ｂ線に沿った断面図、（ｂ）は、図７のＣ−Ｃ線に沿った断面図、（ｃ）は、図５のＤ−Ｄ線に沿った断面図、（ｄ）は、（ｃ）に示す延長部の断面形状の変形例を示す図。
【発明を実施するための形態】
【００１５】
以下、本発明に係るゴルフクラブの実施形態について説明する。  
図１から図５は、本発明に係るゴルフクラブの第１の実施形態を示す図であり、図１は、ゴルフクラブの正面図、図２は、ヘッド部分の上面図、図３は、ヘッド部分の正面図、図４は、図２のＡ−Ａ線に沿った断面図（縦断面図）、そして、図５は、フェース部分の裏面図（ヘッド内部からフェース部を見た図）である。
【００１６】
本実施形態に係るゴルフクラブ１は、金属やＦＲＰで構成されたシャフト５の先端に、基準水平面Ｐに対して規定のライ角、及びロフト角に設定されたヘッド７を止着して構成されている。この場合、ヘッド７を構成するヘッド本体７Ａは、打球面７Ｂを有するフェース部７ａと、フェース部７ａの上縁から後方に延出するクラウン部７ｂと、フェース部７ａの下縁から後方に延出するソール部７ｃと、前記クラウン部７ｂ及びソール部７ｃの縁部を繋ぐサイド部７ｄと、このサイド部７ｄの後方側に位置するバック部７ｅとを備えている。なお、前記サイド部７ｄは、バック部７ｅを経由するトウ部７ｆ及びヒール部７ｇを備えている。
【００１７】
前記ヘッド本体７Ａは、フェース部７ａ以外については、例えば、チタン合金（Ti-6Al-4V,Ti-15V-3Cr-3Sn-3Al）、アルミ系合金、或いは、マグネシウム合金等を鋳造することで一体形成することができ、その前面側に、以下に詳述するフェース部７ａの打球面を構成するフェース部材８が止着されるようになっている（本実施形態では、フェース部７ａに所定の開口７Ｃを形成しておき、その開口部分にフェース部材８を嵌合し、周囲を溶着等した後、研磨することで中空構造の金属製のヘッド本体７Ａが形成されている）。
【００１８】
この場合、ヘッド本体７Ａについては、それを構成する各部材（フェース部、クラウン部、ソール部、サイド部；外殻体）を個別に形成しておき、夫々を溶着、接着等によって固定したものであっても良いし、複数の部材、或いは各部材の部分的な構成要素を鋳造等で一体形成しておき、それらを溶着、接着等によって固定したものであっても良い。
【００１９】
また、ヘッド本体７Ａ内には、前記シャフト５の先端を止着するホーゼル部（図示せず）が一体形成されている。前記シャフト５は、クラウン部７ｂに形成されるシャフト挿入孔９を介して先端部を嵌合し前記ホーゼル部に止着される。
【００２０】
前記フェース部７ａは、実際に打球が成される部分であり、上記したように、前記フェース部に開口７Ｃを形成しておき、この部分に別途止着されるフェース部材８を備えている。前記フェース部材８は、例えば、チタン、チタン合金（Ti-15V-3Cr-3Sn-3Al，Ti-6Al-4V,SP700，Ti-15V-6Cr-4Al,Ti-15Mo-5Zr-3Al、Ti-30Nb-10Ta-5Zr等）を、プレス加工、或いは鍛造等することで板状に一体形成されており、例えば、溶接、ろう付け、接着、レーザ溶接、又はＣＮＣ加工等によって止着されている。
【００２１】
また、前記フェース部７ａは、正面から見た状態で、フェース面（打球される部分となる打球面）７Ｂを有している。このフェース面７Ｂは、上下を規定するトップエッジ７Ｐ、ソールエッジ７Ｑ、及びサイドエッジ７Ｒによって囲まれた領域となっている。すなわち、フェース面７Ｂについては、ヘッド本体７Ａを正面視した際、それが把握できるように、クラウン部７ｂ、ソール部７ｃ及びサイド部７ｄとの間の稜線（前記トップエッジ７Ｐ、ソールエッジ７Ｑ、及びサイドエッジ７Ｒ）によって把握できるようになっている（稜線が湾曲している場合は、湾曲頂部によって規定される）。この場合、フェース面７Ｂには、別途、スコアライン７Ｓを形成しておいても良いし、前記フェース面７Ｂが明確になるように、色彩などによって色分けしても良い。
【００２２】
前記フェース部７ａには、例えば、クラウン・ソール方向（以下、上下方向と称することもある）に沿って湾曲するロールが形成されると共に、トウ・ヒール方向（以下、左右方向と称することもある）に沿って湾曲するバルジが形成されており、両方の湾曲部の頂部領域に、上述したペンデュラムテストの手順に従って特定されるフェース部７ａの中央位置Ｃが存在している。
【００２３】
本実施形態では、ゴルフクラブ１を基準水平面Ｐに対して規定のライ角で構えた状態においてフェース部の打球面（フェース面）７Ｂを正面視すると、クラウン側のトウ・ヒール方向の長さがソール側のトウ・ヒール方向の長さより長くなるフェース部形状を備えており、両サイドがソール側に向かって幅が狭くなる形状（クラウン側両サイドから、ソール側中央に向かって幅が狭くなる略三角形状）に形成されている。
【００２４】
上記したように構成されるフェース部７ａは、打球が成される位置に応じてＣＴ値が変化するように構成されている。具体的には、効率的にフェース部の中央領域のＣＴ値を規制しつつ、トウ・ヒール方向におけるＣＴ値を大きく低下（反発性を低下）させることなく、さらには、中央領域のクラウン・ソール方向においても、ＣＴ値が大きく低下しないようにフェース部材８の肉厚を変化させている。
【００２５】
以下、本実施形態におけるフェース部７ａ（フェース部材８）の構成例、及びＣＴ値の分布について具体的に説明する。  
まず、ＣＴ値とフェース部の構造との関係について説明する。  
ＣＴ値は、ヘッドそのものを測定装置に設置して得られる値であり、いわゆるボールを打球した際のフェース部に対する接触時間となる。このため、ＣＴ値が高いほど、フェース部は撓み易く、ボールの飛距離の向上が図れるようになる。通常、フェース部の撓み特性は、その材質にもよるが、肉厚や、フェース部のエッジ領域からの距離に依存するところが大きい。すなわち、肉厚を薄くすることで、フェース部自体が撓み易くなり、かつ、エッジ領域から最も離間する領域（フェース部の中央位置Ｃ）は、大きく撓み易いことから、中央位置ＣでのＣＴ値は高くなる傾向となる。また、例えば、薄肉厚の部分を形成する等、部分的に肉厚変化させることで、その周辺の曲げ剛性は低下して撓み易くなることから、ＣＴ値を向上することが可能である。
【００２６】
逆に、フェース部のエッジ領域（フェース部周囲の支持領域であるクラウン部、サイド部、ソール部との接続部）のように、剛性が高い領域では撓み量が少ないことから、ＣＴ値を抑制することが可能である。それ以外にも、例えば、フェース部の裏面にリブを適切に配置して厚肉領域を適宜形成することで、その周辺の曲げ剛性が高まって撓み難くなることから、ＣＴ値を効率的に下げることが可能である。
【００２７】
上記の説明から明らかなように、中央位置でのＣＴ値は、エッジ領域から最も離間する領域であるため、容易に向上はできるものの、ルール上、その上限が定められていることから、打球位置がばらついた際、中央位置で打球したときと同様な飛距離（安定した飛距離）が得られるようにするためには、効率的に中央位置でのＣＴ値を規制しつつ、その周辺のＣＴ値を、中央位置のＣＴ値により近似させるか、或いはそれ以上の値となるように調整するのが重要となる。
【００２８】
具体的には、フェース部全体として撓み易い構造にしつつ、中央領域に厚肉部を配置することで、中央領域での撓みをある程度抑制することが可能となる。すなわち、フェース部に全く厚肉部を形成しない構造であれば、中央領域のＣＴ値は高くできるものの、エッジに近付く領域では、剛性が急激に高まって、ＣＴ値が極端に低下してしまう可能性があるが、中央領域を厚肉化して、多少撓み難くしておくことで、フェース部全体として、中央領域以外のＣＴ値を、それに近似した状態、もしくは高い状態に調整することが可能となる。
【００２９】
この場合、厚肉部を、クラウン・ソール方向よりも、トウ・ヒール方向の方が長くなるように形成することで、中央領域からトウ・ヒール方向へ剛性を高めることとなることから、中央領域のＣＴを効果的に規制しつつ、その規制されたＣＴ値に近いＣＴ値をトウ・ヒール方向に拡大することが可能となる。また、トウ・ヒール方向に拡がった厚肉部について、その両側に、クラウン側及びソール側に延設される延長部（この延長部は、厚肉部と同一、又は略同一の肉厚とされる）を形成することで、中央領域のＣＴ値を規制した際、トウ・ヒール方向のＣＴ値が相対的に高くなる部分の剛性を効果的に規制できることとなり、中央領域において、中央領域のＣＴ値（規制されたＣＴ値）に近いＣＴ値をクラウン側、及びソール側についても拡大することが可能となる。
【００３０】
本発明のヘッド構造では、例えば、図５に示すように、フェース部７ａ（フェース部材８）の中央領域に、トウ・ヒール方向に延出する厚肉部２０を形成すると共に、厚肉部２０の両側（ここでの両側は、トウ・ヒール方向に離れた位置に形成されていれば良い）からクラウン側とソール側に向かって、それぞれ厚肉部２０と同一の肉厚となる延長部２１，２２（クラウン側の延長部を符号２１で示し、ソール側の延長部を符号２２で示す）を形成することで、上記したようなＣＴ値分布が効率的に得られるようにしている。
【００３１】
前記中央領域に形成される厚肉部２０は、フェース部７ａの中央位置Ｃを含んでいれば良く、本実施形態では、厚肉部２０のトウ・ヒール方向の両端において、クラウン側へ２本、ソール側へ２本の合計４本の延長部２１，２２を形成している。このため、厚肉部２０及び延長部２１，２２は、全体として、略Ｈ字形状に形成されており、厚肉部２０及び延長部２１，２２によって、トウ側、ヒール側、クラウン側及びソール側に４つの薄肉厚部２５，２６，２７，２８が形成されている。
【００３２】
具体的に、上記した厚肉部２０、及び延長部２１，２２の肉厚に関しては、中央領域でのＣＴ値を効果的に抑制できるように、フェース部材８における薄肉厚部２５，２６，２７，２８において、最も薄肉厚の部分の肉厚に対して１．３〜４倍、好ましくは２〜３倍に設定しておけば良く、その肉厚については、３〜５ｍｍ、好ましくは３．５〜４．２ｍｍの範囲に設定しておけば良い。
【００３３】
上記のように、中央位置Ｃを含む中央領域に、トウ・ヒール方向に延びる厚肉部２０を形成することにより、中央領域での撓みを効果的に規制することが可能となり、かつ、このような厚肉部２０の両端に対して、クラウン側及びソール側に略Ｈ字状となる延長部２１，２２を形成することで、より効果的に中央領域のＣＴ値を規制しつつ、トウ・ヒール方向のＣＴ値を大きく低下させることなく、高反発領域を拡大することが可能となる。
【００３４】
なお、前記厚肉部２０及び延長部２１，２２の大きさ、高さ、肉厚、並びに、延長部２１，２２の形成位置については、中央領域におけるＣＴ値が効果的に抑制できるのであれば、特に限定されることはないが、ヘッドの大きさ（フェース部７ａの大きさ）に基づいて、以下の要件を満たしていれば良い。また、肉厚部２０及び延長部２１，２２については、厳密に同一の肉厚に設定されていなくても良い（略同一であっても良い）。
【００３５】
図３に示すように、前記フェース部７ａの中央位置Ｃを通る水平線Ｐ１を基準としてトウ・ヒール方向におけるフェース部７ａの幅をＷ、高さをＨ、及び図５に示すように、トウ・ヒール方向における前記厚肉部２０の幅をｗ、厚肉部２０の中央位置Ｃを通るクラウン・ソール方向における高さをｈとする。この場合、フェース部７ａの幅Ｗについては、フェース面７Ｂの両サイドを規定するサイドエッジ７Ｒと、フェース部７ａの中央位置Ｃを通る水平線Ｐ１が交差する位置によって定義され、フェース部７ａの高さＨについては、フェース面７Ｂの上下を規定するトップエッジ７Ｐ、ソールエッジ７Ｑと、フェース部７ａの中央位置Ｃを通る垂直線Ｐ２が交差する位置によって定義される。また、厚肉部２０の幅ｗについては、図５に示すように、フェース部７ａの中央位置Ｃを通る水平線Ｐ１を基準としたトウ・ヒール方向における幅（後述する傾斜部を含まない）によって定義され、厚肉部２０の高さｈについては、中央位置Ｃを通る垂直線Ｐ２を基準としたクラウン・ソール方向における高さ（後述する傾斜部を含まない）によって定義される。
【００３６】
なお、中央位置Ｃは、厚肉部２０の範囲内にあれば良く、厚肉部２０は、多少、トウ側やヒール側にシフトしていたり、クラウン側やソール側にシフトしていても良い。このため、厚肉部２０における前記幅ｗの中間点Ｃ１は、水平線Ｐ１上に存在するものの、前記中央位置Ｃと一致しないこともある(本実施形態では、中央位置Ｃと中間点Ｃ１は一致している)。具体的には、厚肉部２０をトウ側にシフトすることでトウ側のＣＴ値が低くなる傾向となり、厚肉部２０をヒール側にシフトすることでヒール側のＣＴ値が低くなる傾向となる。また、厚肉部２０をクラウン側にシフトすることでクラウン側のＣＴ値が低くなる傾向となり、厚肉部２０をソール側にシフトすることでソール側のＣＴ値が低くなる傾向となる。
【００３７】
上記した定義において、厚肉部２０のトウ・ヒール方向の長さについては、幅ｗの中間点Ｃ１からトウ側及びヒール側に、１０ｍｍ〜２５ｍｍの範囲、好ましくは１０ｍｍ〜２０ｍｍの範囲で延長していれば良い。すなわち、このような範囲に設定したのは、中間点Ｃ１から、トウ・ヒール方向に延長する長さが１０ｍｍ未満であると、厚肉部２０のトウ側、ヒール側の薄肉厚部２６，２７部分のＣＴ値が高くなる傾向が大きくなるためであり、長さが２５ｍｍを超えると、厚肉部２０近辺の中央領域のＣＴ値が高くなる傾向が大きくなるためである。
【００３８】
この場合、ｗの長さについては、フェース部７ａの大きさ（例えば、番手の異なるゴルフクラブ）に基づいて決定され、前記フェース部の幅Ｗに対するｗ／Ｗについては、０．２〜０．５０の範囲、好ましくは０．２５〜０．４５の範囲で延長していれば良い。すなわち、ｗ／Ｗについて上記のように設定したのは、０．２未満になると、厚肉部２０のトウ側、ヒール側の薄肉厚部２６，２７部分のＣＴ値が高くなる傾向が大きくなるためであり、０．５０を超えると、厚肉部２０近辺の中央領域のＣＴ値が高くなる傾向が大きくなるためである。また、肉厚部２０に関しては、トウ・ヒール方向において、反発性の低下がより小さくできるように、相対的にクラウン・ソール方向よりも、トウ・ヒール方向の方の長さが長く形成されていれば良い（ｈ＜ｗ）。具体的には、厚肉部２０のｈ／ｗについては、０．０８〜０．９５の範囲、好ましくは０．１５〜０．８０の範囲に設定されていれば良い。
【００３９】
なお、本発明におけるヘッド構造では、フェース部の幅Ｗが、１００ｍｍ以下、フェース部の高さＨが、６０ｍｍ以下のものであれば良い。また、厚肉部２０については、その幅ｗは、２０ｍｍ〜５０ｍｍ、高さｈは、３ｍｍ〜２０ｍｍの範囲にあれば良い。さらに、厚肉部２０の形状については、図に示したように、トウ・ヒール方向に延出する略矩形形状に限定されることはなく、上記した数値範囲が満足されるのであれば、例えば楕円形状のような湾曲部を含む形状、直線と湾曲部を有する形状としても良い。
【００４０】
以上のような厚肉部２０、及び延長部２１，２２が形成されたフェース部７ａの構造を備えたゴルフクラブによれば、以下の作用効果が得られる。  
上記のように、トウ・ヒール方向に延出する厚肉部２０を形成したことで、中央位置ＣのＣＴ値を効率的に抑制しつつ、その抑制されたＣＴ値（中央位置の反発性に近いＣＴ値）、すなわち高反発領域を、フェース部の中央位置からトウ・ヒール方向に拡大して、効率良く高反発性の領域を拡大することが可能となる。したがって、打球時のボールの打点が中央位置からずれても、中央位置で打球した場合と近似した飛距離が得られ、平均飛距離の向上と安定化が図れるようになる。また、トウ・ヒール方向に広がった厚肉部２０の両側には、クラウン側とソール側に向かって延設される延長部２１，２２が形成されているため、中央領域のクラウン側とソール側のＣＴ値についても大きく低下させることなく、高反発性を維持することが可能となり、高反発領域をワイドにすることが可能となる。
【００４１】
また、図５に示すフェース部７ａ（フェース部材８）の構造では、厚肉部２０、及び延長部２１，２２の周囲に、それよりも薄肉厚となる領域を形成している。上記した実施形態では、厚肉部２０、及び延長部２１，２２の形状は、略Ｈ字状に形成されていることから、薄肉厚部は、トウ側の領域２５、ヒール側の領域２６、クラウン側の領域２７及びソール側の領域２８となっている。
【００４２】
このような薄肉厚部（厚肉部２０と相対比較して薄肉厚とされる）２５，２６，２７，２８を周囲に形成しておくことで、厚肉部２０及び延長部２１，２２の領域を撓み易くすることができ、フェース部全体としてＣＴ値を低下させることなく、高い値に設定しておくことが可能となる。
【００４３】
なお、本実施形態では、フェース部７ａは、開口７Ｃを形成しておき、この部分に別途止着されるフェース部材８によって構成されており、前記延長部２１，２２については、図５に示すように、フェース部材８のエッジに至る手前で終端させている。  
このように構成することで、エッジ領域でのＣＴ値の低下が抑制できると共に、中央領域のＣＴ値を高い値に設定し易くなる。
【００４４】
また、開口７Ｃを規定しているフランジ部分７Ｆについては、フェース部材８のエッジ領域と同じ肉厚にしておいても良いが、更に薄肉厚にしておくことで、フェース部７ａの中央領域でのＣＴ値を向上することができる。この場合、必要に応じて、フランジ部分７Ｆに、部分的に厚肉化される領域を形成しておいても良い。
【００４５】
また、上記した構成では、肉厚が異なる部分については、段差（垂直）にするのではなく、次第に薄肉厚部に向かって傾斜する傾斜部３０を形成しておくことが好ましい。  
このような傾斜部３０の形状は、延長部２１，２２の断面形状とともに適宜変形することが可能である。例えば、図９（ｃ）に示すように、延長部２１，２２の表面を平坦として、傾斜部３０を直線的に形成して次第に薄肉厚化したり、図９（ｄ）に示すように、延長部２１，２２の表面を湾曲状にして、傾斜部３０を曲線的にして次第に薄肉厚化したものであっても良い。
【００４６】
このような傾斜部３０を形成しておくことにより、応力集中によって生じやすい割れ等を効果的に防止することが可能となり、反発性と耐久性の向上、及び安定化が図れ、更には、ＣＴ値の急激な変化や打感（振動）の急変を防ぐことが可能となる。なお、傾斜部３０の幅Ｌについては、前記作用効果が確実に得られるように１ｍｍ以上にすることが好ましく、さらには、薄肉厚部から延長部（厚肉部）までの高さｈ１よりも大きくすることが好ましい。また、傾斜部３０の傾斜率については、任意に設定できるが、図９（ｄ）に示すように、薄肉厚部に近いほど傾斜が緩やかになるように傾斜率を設定することで、応力集中を緩和し、フェースの強度を保つことができる。
【００４７】
また、上記した延長部２１，２２については、上記したように、フェース部材８のエッジに至る手前（クラウン部及びソール部の手前）で終端させているが、各端面には、図９（ａ）に示すように、最終的に薄肉厚部２５〜２８と略同一肉厚となるようにテーパ３１を形成しておくことが好ましい。具体的には、薄肉厚部２５〜２８の肉厚の１．２倍以下になっていれば良い。また、テーパ３１の長さは、延長部２１，２２の１／３以下（たとえば０．５〜７ｍｍ、好ましくは１〜５ｍｍ）とするのが良い。  
このように構成することで、より広範囲にＣＴ値を高くすることができ、高反発領域をワイドにすることが可能となる。なお、次第に薄肉厚化されるテーパ３１以外にも、段階的に肉厚を薄く形成する構成であっても良い。
【００４８】
また、上記した延長部２１，２２については、クラウン側、及びソール側の少なくとも一方は、フェースの周縁に移行するに連れてトウ・ヒール方向の距離が広がるように形成しておくことが好ましい（図５に示す構造は、クラウン側、ソール側ともに、周縁に移行するに連れて次第に幅広になるように形成されている）。  
通常、上記のように形成される延長部は、フェース部の周縁に近づくほど、各延長部２１，２２の影響による反発性の低下が生じるが、延長部をトウ・ヒール方向に移行するに連れて次第に広げることで、トウ側やヒール側の周辺部近くまで、中央位置と近似した反発性にすること（相対的な反発性の向上）が可能となる。すなわち、フェース部の周縁に近い領域においても、反発性に優れた範囲をトウ・ヒール方向に拡大することが可能となる。具体的には、各延長部における中心同士のトウ・ヒール方向の距離Ｌ２は、４０ｍｍ以上、より好ましくは５０ｍｍ以上に形成するのが良い。
【００４９】
さらに、延長部２１，２２の幅Ｌ３（ここでの幅は、図９（ｃ）に示すように、傾斜部３０を含む幅とする）は、厚肉部２０の前記高さｈよりも小さく形成しておくことが好ましい。  
このように構成することで、フェース部の中央位置の反発性をトウ・ヒール方向に効率良く規制できるとともに、クラウン側やソール側の厚肉部による反発性の低下を防止することができ、トウ・ヒール方向と、クラウン・ソール方向の反発性を改善でき、広い範囲にわたってフェース部の中央位置に近似した反発性を得ることが可能となる。
【００５０】
この場合、クラウン側の延長部とソール側の延長部、又はトウ側の延長部とヒール側の延長部に関し、一方の幅を大きく他方の幅を狭くして幅の差を持たせることで、反発性を調整することが可能となる。例えば、クラウン側の延長部２１の幅を、ソール側の延長部２２の幅よりも狭くすることで、相対的にクラウン側のＣＴ値を向上することができ、クラウン側で打球した際の飛距離の低下を防止することが可能となる。
【００５１】
実際に、図５に示すような厚肉部２０、及び延長部２１，２２が形成されたフェース部７ａを備えたゴルフクラブであれば、以下の表に示すようなＣＴ値分布を得ることが可能である。以下の表は、中央位置Ｃにおいて測定したＣＴ値を基準（ルール範囲内となる値であり、この値を１００％とする）としており、クラウン（Ｕ）・ソール（Ｄ）方向、及び、トウ（Ｔ）・ヒール（Ｈ）方向を、それぞれ５ｍｍ単位でＣＴ値の分布状況を示したものである。
【００５２】
すなわち、上記した厚肉部２０の構成、及び延長部２１，２２の構成を適宜調整することで、ＣＴ値分布を、好ましい状態となるように設定することが可能である。具体的には、フェース部７ａの幅Ｗは９５ｍｍ、フェース部７ａの高さＨは５３ｍｍ、厚肉部２０の幅ｗは３２ｍｍ、高さｈは８ｍｍ、フェース部７ａの幅Ｗに対するｗ／Ｗについては、０・３４、厚肉部２０のｈ／ｗについては、０．２５に設定し、厚肉部２０及び延長部２１，２２の肉厚を３．８ｍｍ、薄肉厚部２５〜２８の肉厚を２．０〜２．５ｍｍに設定したものについて、ＣＴ値分布を測定した結果を以下に示す。
【表１】
2011152275.tif 000003
このＣＴ値分布で見られるように、中央位置Ｃからトウ側、及びヒール側では、それぞれ２０ｍｍに至るまで良好なＣＴ値分布が得られるとともに、クラウン側に１０ｍｍ、ソール側に５ｍｍの範囲においても、良好なＣＴ値分布が得られた。すなわち、このようなフェース部を備えたゴルフクラブによれば、打球時のボールの打点が中央位置からずれても、中央位置で打球した場合と近似した飛距離が得られ、平均飛距離の向上と安定化が図れるようになる。また、中央領域のクラウン側とソール側のＣＴ値についても大きく低下させることなく、高反発性を維持することが可能となり、高反発領域をワイドにすることが可能となる。
【００５３】
次に、本発明の別の実施形態について説明する。  
上記した実施形態では、厚肉部２０、及び延長部２１，２２は、略Ｈ字形状としたが、本発明は、トウ・ヒール方向に延出する厚肉部があり、その両側に、クラウン側とソール側に延びる延長部（４本の延長部）が形成されていれば、Ｈ字の形状に限定されることなく、適宜変形することが可能である。例えば、図６に示すように、厚肉部２０のトウ・ヒール側（薄肉厚部２５，２６）に、さらに凸状に広がる厚肉部３３，３４を突出させても良い。すなわち、延長部２１，２２については、厚肉部２０の両端に形成されていなくても良い。
【００５４】
また、上記した延長部２１，２２は、厚肉部２０から直線状にクラウン側、及びソール側に延出させたが、各延長部は、厚肉部２０から湾曲状に延出させても良い。また、このような湾曲した延長部は、１本のみとしても良いし、クラウン側の２本、ソール側の２本、トウ側の２本、ヒール側の２本にする等、適宜変形することが可能である。  
このように、延長部の方向性、さらには厚さや幅などを変えることで、ＣＴ値分布を適宜調整することが可能である。
【００５５】
また、上記した図５及び図６に示す実施形態では、フェース部７ａは、クラウン部７ｂ、ソール部７ｃ及びサイド部７ｄの前方側にフランジを形成し、そのフランジの端面によって規定される開口部分にフェース部材８を嵌入して止着する構成であったが、図７に示すように、フェース部材８は、板状に構成するのではなく、周囲を折り曲げてカップ型の形状となるように形成し、その折り曲げられた部分を、クラウン部７ｂ、ソール部７ｃ及びサイド部７ｄの開口端面に止着しても良い。このため、延長部２１，２２については、図９（ｂ）に示すように、フェース部７ａの折り曲げ領域まで延出した構造であっても良い。もちろん、フェース部７ａについては、別部材となるフェース部材８を止着するのではなく、ヘッド本体７Ａと共に一体形成されていても良い。
【００５６】
このような構成では、フェース面側に開口７Ｃを設け、溶接などで止着する（図９（ａ）参照）場合と比較して、フェース面に溶接ビードがないため、フェースのエッジ領域でのＣＴ値を高い値に設定し易いとともに、比較的、広く薄肉厚部２５〜２８を形成することができるため、トウ・ヒール方向のみならず、広い範囲に亘ってＣＴ値を中央位置のＣＴ値に近似させ易くなり、打球時における打点がフェース中央位置からトウ・ヒール方向に外れた場合でも、より飛距離の向上、及び安定化が図れるようになる。
【００５７】
また、上記した構成では、図８に示すように、厚肉部２０のクラウン側及びソール側のエッジ形状を、フェース部前面に形成したスコアラインを横切るような凹凸状５０に形成しておくことが好ましい。この場合、凹凸状５０については、隣接する２本のスコアラインを跨ぐようにしてジグザグに形成しておくことが好ましい。また、このような凹凸については、図に示すように複数個を連続して形成するのが好ましいが、１つの山（凸）であっても良いし、スコアラインを横切る大きさであれば、その形状については適宜変形することが可能である。
【００５８】
このように凹凸状５０を形成しておくことで、フェース部前面にスコアラインを形成していても、反発性のばらつきや、スコアラインを形成した部分での割れを減少することができ、相対的に薄肉厚化されている部分、或いは繰り返しの打球による強度の低下を防止することができ、軽量化と耐久性の向上が図れるようになる。
【００５９】
また、上記した薄肉厚部２５，２６，２７，２８については、そのエリア内で略均一の肉厚としても良いが、周縁側に移行するにつれて、次第に薄肉厚化しておくことが好ましい。このように構成することで、より容易に反発性を中央位置と近似化させることが可能となる。或いは、そのような薄肉厚部よりも、さらに薄肉厚となる部分をエッジ側に形成しても良く、これにより、トウ・ヒール方向の幅広い範囲に亘ってＣＴ値を中央位置のＣＴ値に近似させ易くなり、打球時における打点がフェース中央位置からトウ・ヒール方向に外れた場合でも、飛距離の向上、及び安定化が図れるようになる。
【００６０】
以上、本発明の実施形態について説明したが、本発明は、上記した実施形態のようなフェース構造に限定されることはなく、種々変形することが可能である。  
本発明におけるフェース部は、厚肉部２０が、クラウン・ソール方向よりもトウ・ヒール方向に長く形成されており、その両側に、４本の延長部２１，２２が形成されていれば良く、それ以外の具体的なフェース部の構造について適宜、変形することが可能である。例えば、フェース部７ａの構成材料、位置（領域）による肉厚変化（延長部の構成）については、図に示した構造に限定されるものではなく、更に上記した構成以外にも、フェース部の裏面に付加的な構造物、例えば、リブ、溝部、凹所、突起等を一体形成したり、接着や溶着等によって付加しても良い。この場合、付加的な構造物については、例えば、リブや突起の高さ、肉厚、形成位置、形状を変化させたり、溝部や凹所の深さや幅、形成位置を変化させることで、上記したＣＴ値を変化させることが可能である。
【００６１】
また、上記した厚肉部２０は、その中心位置が、フェース部７ａの中央位置Ｃと近似する位置に形成しておくことが好ましいが、中央位置Ｃが、厚肉部２０の略中心となる位置の近傍（半径１０ｍｍ以内）に存在していても良い。例えば、厚肉部２０を、クラウン側に偏位させたり、トウ側に偏位させても良い。
【００６２】
さらに、ヘッドの重心位置からフェース部７ａに垂線を下ろした点、いわゆるスイートスポットは、ヘッドの重心設計に依存するため、フェース部の中央位置Ｃと一致しないこともあるが、スイートスポットについては、打球時にボールを最も芯で捉えた、という感覚が得られ、かつ、ボールに対して最も効率良くヘッドスピードを伝達できる部分であることから、上記したフェース部の中央位置Ｃに一致させるか、厚肉部２０の範囲内に設定しておくことが好ましい。
【符号の説明】
【００６３】
１  ゴルフクラブ
５  シャフト
７  ヘッド
７Ａ  ヘッド本体
７Ｂ  フェース面
７ａ  フェース部
７ｂ  クラウン部
８  フェース部材
２０  厚肉部
２１，２２  延長部
Ｃ  中央位置
【図１】
2011152275.tif 000004
【図２】
2011152275.tif 000005
【図３】
2011152275.tif 000006
【図４】
2011152275.tif 000007
【図５】
2011152275.tif 000008
【図６】
2011152275.tif 000009
【図７】
2011152275.tif 000010
【図８】
2011152275.tif 000011
【図９】
2011152275.tif 000012